(57)【要約】【課題】非同調型のシリコンチューナにおいて、中間周波信号の歪みを抑制する。【解決手段】複数のチューナ１３２は、AGC電圧信号に応じた利得で、入力された入力信号を増幅または減衰する可変利得増幅器１５１を有し、AGC電圧選択部１３７は、複数のチューナ１３２のそれぞれに入力される入力信号が所定の信号レベルより高い場合に、入力信号の信号レベルに応じて可変利得増幅器１５１の利得を低減するようにAGC電圧信号を生成し、複数のチューナ１３２それぞれにおける可変利得増幅器１５１は、複数のチューナ１３２のそれぞれに入力される入力信号のいずれかが、所定の信号レベルより高い場合に、AGC電圧選択部１３７によって生成されたAGC電圧信号に応じた利得で入力信号を増幅する。本発明は、例えば、アナログ放送とデジタル放送とを受信するテレビジョン受像機に適用することができる。【選択図】図４
2010136137.tif 000002
【特許請求の範囲】
【請求項１】
AGC（Automatic Gain Control）信号に応じた利得で、入力された入力信号を増幅または減衰する増幅／減衰部を有する複数の受信手段と、
前記受信手段のそれぞれに入力される前記入力信号が所定の信号レベルより高い場合に、前記入力信号の信号レベルに応じて前記増幅／減衰部の利得を低減するように前記AGC信号を生成する生成手段と
を備え、
前記受信手段それぞれにおける前記増幅／減衰部は、前記受信手段のそれぞれに入力される前記入力信号のいずれかが、所定の信号レベルより高い場合に、前記生成手段によって生成された前記AGC信号に応じた利得で、前記入力信号を増幅または減衰する
受信装置。
【請求項２】
前記受信手段のそれぞれは、前記入力信号を検波し、前記入力信号の信号レベルに応じた検波信号を生成する検波部をさらに有し、
前記生成手段は、前記受信手段のそれぞれにおいて生成される前記検波信号が所定の信号レベルより高い場合に、前記検波信号の信号レベルに応じて前記増幅／減衰部の利得を低減するように前記AGC信号を生成し、
前記受信手段それぞれにおける前記増幅／減衰部は、前記受信手段のそれぞれにおいて生成される前記検波信号のいずれかが、前記所定の信号レベルより高い場合に、前記生成手段によって生成された前記AGC信号に応じた利得で、前記入力信号を増幅または減衰する
請求項１に記載の受信装置。
【請求項３】
前記生成手段は、前記受信手段のそれぞれにおいて生成される前記検波信号が所定の信号レベルより高い場合に、前記検波信号の信号レベルに応じて前記増幅／減衰部の利得を低減するように前記AGC信号を生成して、前記AGC信号のうち、最大の信号レベルの前記検波信号に対応する前記AGC信号を選択し、
前記受信手段それぞれにおける前記増幅／減衰部は、前記生成手段によって選択された前記AGC信号に応じた利得で、前記入力信号を増幅または減衰する
請求項２に記載の受信装置。
【請求項４】
前記受信手段それぞれにおける前記検波部は、それぞれ異なる周波数帯域の前記入力信号を検波する
請求項２に記載の受信装置。
【請求項５】
前記受信手段のそれぞれには、受信すべき入力信号である希望信号と、受信すべき入力信号でない妨害信号とが入力され、
前記生成手段は、前記妨害信号の信号レベルが、前記希望信号の信号レベルより高い場合に、前記妨害信号の信号レベルに応じて前記増幅／減衰部の利得を低減するように前記AGC信号を生成し、
前記受信手段それぞれにおける前記増幅／減衰部は、前記妨害信号の信号レベルが、前記希望信号の信号レベルより高い場合に、前記生成手段によって生成された前記AGC信号に応じた利得で、前記希望信号および前記妨害信号を増幅または減衰する
請求項１に記載の受信装置。
【請求項６】
前記受信手段のそれぞれは、前記受信手段それぞれに入力される前記入力信号の信号レベルが、所定の信号レベルより低い場合に、前記入力信号に対応する前記AGC信号を生成し調整する調整部をさらに有し、
前記受信手段それぞれにおける前記増幅／減衰部は、前記調整部によって調整された前記AGC信号に応じた利得で前記入力信号を増幅する
請求項１に記載の受信装置。
【請求項７】
前記受信手段のそれぞれは、前記増幅／減衰部で用いられる前記AGC信号の取得を、前記生成手段と、前記調整部とで切り替える切替部をさらに有する
請求項６に記載の受信装置。
【請求項８】
AGC（Automatic Gain Control）信号に応じた利得で、入力された入力信号を増幅または減衰する増幅／減衰部を有する複数の受信手段と、前記受信手段のそれぞれに入力される前記入力信号が所定の信号レベルより高い場合に、前記入力信号の信号レベルに応じて前記増幅／減衰部の利得を低減するように前記AGC信号を生成する生成手段とを備える受信装置の受信方法であって、
前記生成手段によって、前記受信手段のそれぞれに入力される前記入力信号が所定の信号レベルより高い場合に、前記入力信号の信号レベルに応じて前記増幅／減衰部の利得を低減するように前記AGC信号を生成する生成ステップと、
前記受信手段それぞれにおける前記増幅／減衰部によって、前記受信手段のそれぞれに入力される前記入力信号のいずれかが、所定の信号レベルより高い場合に、前記生成ステップにおいて生成された前記AGC信号に応じた利得で前記入力信号を増幅または減衰する増幅／減衰ステップと
を含む受信方法。
【請求項９】
AGC（Automatic Gain Control）信号に応じた利得で、入力された入力信号を増幅または減衰する増幅／減衰部を有する複数の受信手段と、前記受信手段のそれぞれに入力される前記入力信号が所定の信号レベルより高い場合に、前記入力信号の信号レベルに応じて前記増幅／減衰部の利得を低減するように前記AGC信号を生成する生成手段とを備える受信装置を制御する処理をコンピュータを実行させるプログラムであって、
前記生成手段によって、前記受信手段のそれぞれに入力される前記入力信号が所定の信号レベルより高い場合に、前記入力信号の信号レベルに応じて前記増幅／減衰部の利得を低減するように前記AGC信号を生成する生成ステップと、
前記受信手段それぞれにおける前記増幅／減衰部によって、前記受信手段のそれぞれに入力される前記入力信号のいずれかが、所定の信号レベルより高い場合に、前記生成ステップにおいて生成された前記AGC信号に応じた利得で前記入力信号を増幅または減衰する増幅／減衰ステップと
を含む処理をコンピュータに実行させるプログラム。
【発明の詳細な説明】
【技術分野】
【０００１】
本発明は、受信装置および方法、並びにプログラムに関し、特に、中間周波信号の歪みを抑制することができるようにする受信装置および方法、並びにプログラムに関する。
【背景技術】
【０００２】
テレビジョン受像機は、複数の放送局（チャンネル）のうちの選局された放送局から送信されてくるテレビジョン信号を受信するチューナを備えている。
【０００３】
図１は、従来のテレビジョン受像機のチューナの構成例を示している。
【０００４】
図１のチューナ３１は、アナログテレビジョン信号およびデジタルテレビジョン信号を受信し、図示せぬ復調部に供給する。なお、以降、アナログテレビジョン信号およびデジタルテレビジョン信号を併せて、単にテレビジョン信号ともいう。
【０００５】
図１のチューナ３１は、入力同調回路５１、可変利得増幅器５２、段間同調回路５３、ミキサ５４、局部発振器５５、PLL（Phase Locked Loop）回路５６、第１中間周波増幅器５７、SAW（Surface Acoustic Wave）フィルタ５８、第２中間周波増幅器５９、検波部６０、およびオペアンプ６１から構成される。
【０００６】
入力同調回路５１は、受信すべきチャンネルのテレビジョン信号（以下、希望波という）の周波数に同調するように、同調周波数を制御する。入力同調回路５１は、単同調回路で構成されており、その同調特性は、比較的緩やかである。可変利得増幅器５２は、入力同調回路５１からのテレビジョン信号を、オペアンプ６１からのAGC（Automatic Gain Control）電圧に応じた利得で増幅する。段間同調回路５３は、入力同調回路５１と同様に、受信すべきチャンネルのテレビジョン信号（希望波）の周波数に同調するように、同調周波数を制御する。段間同調回路５３は、複同調回路で構成されており、その同調特性は、入力同調回路５１のものより、選択度が高く、妨害波（受信すべきチャンネル以外のテレビジョン信号）の排除特性に優れている。ミキサ５４は、段間同調回路５３からのテレビジョン信号と、局部発振器５５から供給される所定の周波数の局部発振信号とを乗算することで、受信したテレビジョン信号を周波数変換し、中間周波信号（IF（Intermediate Frequency）信号）を生成する。局部発振器５５は、PLL回路５６より出力されるバリキャップ制御電圧により発振周波数が制御されて、所定の周波数の局部発振信号をミキサ５４に供給する。
【０００７】
このような構成により、受信したテレビジョン信号は、IF信号に周波数変換されるが、通常は同調回路があるため、妨害波は排除（減衰）され、希望波のみが所定の中間周波数の帯域内のIF信号に変換される。妨害波は、入力同調回路５１および段間同調回路５３の同調特性によって減衰するため、周波数変換された妨害波の信号（妨害波によるIF信号）レベルは、希望波のIF信号の信号レベルより低くなる。
【０００８】
第１中間周波増幅器５７は、ミキサ５４からのIF信号を所定の比率で増幅する。SAWフィルタ５８は、第１中間周波増幅器５７からのIF信号の、中間周波数の帯域の信号のみを通過させ、それ以外の帯域の信号を減衰する。第２中間周波増幅器５９は、SAWフィルタ５８からのIF信号を所定の比率で増幅し、図示せぬ復調部に供給する。
【０００９】
このような構成により、SAWフィルタ５８から出力されるIF信号のうち、妨害波のIF信号の信号レベルは、希望波のIF信号の信号レベルと比較して低くなる。
【００１０】
検波部６０は、SAWフィルタ５８から出力されるIF信号において、妨害波によるIF信号を除いた希望波によるIF信号のみ検波し、その結果を、AGC電圧として、オペアンプ６１を介して、可変利得増幅器５２に供給する。オペアンプ６１は、検波部６０からのAGC電圧の信号レベルを所定の信号レベルに変換し、可変利得増幅器５２に供給する。
【００１１】
このような構成により、可変利得増幅器５２において、受信したテレビジョン信号の利得が制御されるので、第２中間周波増幅器５９からは、受信すべきチャンネルのテレビジョン信号（希望波）に対応するIF信号が、ほぼ一定のレベルで出力されるようになる。
【００１２】
ところで、近年、半導体技術の進歩に伴い、シリコンチューナと呼ばれるチューナが開発されている。このシリコンチューナは、上述した従来のチューナと異なり、同調回路を備えない非同調型のチューナである。同調回路を設けないことで、集積回路（IC（Integrated Circuit））にチューナの機能を集積しやすくするとともに、外付け部品の点数を減らし、調整を不要にすることが可能となる。また、シリコンチューナにおいては、中間周波数を、従来の数十MHzから数MHzにまで下げることができ、後段の信号処理を軽減することができる（例えば、非特許文献１参照）。
【００１３】
図２は、Low-IF型のシリコンチューナの構成例を示している。
【００１４】
図２のチューナ７１は、可変利得増幅器９１、ミキサ９２、局部発振器９３、PLL回路９４、第１中間周波増幅器９５、BPF（Band Pass Filter）９６、第２中間周波増幅器９７、検波部９８、およびオペアンプ９９から構成される。なお、可変利得増幅器９１、ミキサ９２、局部発振器９３、PLL回路９４、第１中間周波増幅器９５、第２中間周波増幅器９７、およびオペアンプ９９は、図１のチューナ３１に設けられた可変利得増幅器５２、ミキサ５４、局部発振器５５、PLL回路５６、第１中間周波増幅器５７、第２中間周波増幅器５９、検波部６０、およびオペアンプ６１とそれぞれ同様の機能を備えるので、その説明は省略する。
【００１５】
BPF９６は、中間周波数帯域を通過帯域として、第１中間周波増幅器９５からのIF信号を通過させる。検波部９８は、可変利得増幅器９１から出力されるテレビジョン信号を検波し、その結果を、AGC電圧として、オペアンプ９９を介して、可変利得増幅器９１に供給する。
【００１６】
図２のチューナ７１においては、図１のチューナ３１と異なり、同調回路が設けられていないので、不要な信号成分（妨害波）を排除することができない。これにより、可変利得増幅部９１およびミキサ９２に入力される信号の数は増え、また、信号レベルが高くなり、後段の回路において歪みが発生しやすくなる。
【００１７】
このため、図２のチューナ７１において、検波部９８に可変利得増幅器９１から出力される全てのテレビジョン信号（希望波、妨害波）が供給されると、検波部９８は、この全てのテレビジョン信号（希望波、妨害波）を検波し、その結果を、AGC電圧として出力する。このときのAGC電圧は、希望波および妨害波の全てのテレビジョン信号を合わせた信号レベルを示すことになる。しかしながら、実際には、検波部９８は、全ての周波数帯域のテレビジョン信号を検波することはできず、所定の周波数帯域（検波可能周波数帯域、±100MHz程度）のテレビジョン信号のみを検波するにとどまる。これは、チューナ７２が受信できる周波数帯域幅に比べて、AGC電圧を発生させる検波部９８の検波可能帯域幅が狭いためである。
【００１８】
【非特許文献１】“CXA3746ER  高受信感度と耐妨害性能に優れたシリコンチューナIC”、［online］、［平成２０年９月１９日検索］、インターネット＜http://www.sony.co.jp/Products/SC-HP/cx_pal/vol76/pdf/cxa3746er.pdf＞
【発明の開示】
【発明が解決しようとする課題】
【００１９】
ところで、デジタルテレビジョン信号は、既存のアナログテレビジョン信号のチャンネル以外のチャンネルを利用して送信されるが、デジタルテレビジョン信号の信号レベルは、アナログテレビジョン信号の信号レベルよりも35dB乃至45dB程度低くなることがある。
【００２０】
このような状態において、非同調型のシリコンチューナで、希望波としてのデジタルテレビジョン信号と、妨害波としての信号レベルの高いアナログテレビジョン信号とを同時に受信する場合、この妨害波が検波可能周波数帯域内にあるときには、妨害波（アナログテレビジョン信号）の信号レベルに応じたAGC電圧に基づいて、可変利得増幅部９１の利得が制御され、ミキサ９２において歪みが発生しない信号レベルの信号が、ミキサ９２に供給される。
【００２１】
一方、妨害波としての、信号レベルの高い電界強度の強いアナログテレビジョン信号が検波可能周波数帯域外にあるときには、検波可能周波数帯域外に大きな妨害波があることが検知されず、希望波としてのデジタルテレビジョン信号に応じた（低い入力信号レベルに応じた）AGC電圧が出力される。その結果、可変利得増幅部９１は、受信したアナログテレビジョン信号（妨害波）の信号レベルに適応しないAGC電圧に基づいて最大限に増幅したアナログテレビジョン信号（妨害波）を、ミキサ９２に供給する。ミキサ９２は、可変利得増幅部９１から供給されたアナログテレビジョン信号の信号レベルが高すぎて、不要な歪み成分を中間周波数帯域内に発生させて、受信不能状態に陥ってしまう。また、可変利得増幅部９１においては、大振幅の信号により出力が飽和すると、振幅が大きくなり、増幅度が低下し始めるように見える、いわゆるゲインコンプレッションが発生する。その結果、受信すべきデジタルテレビジョン信号が十分に増幅できないことがあった。
【００２２】
そこで、受信されるテレビジョン信号の信号レベルの低い段階から、その信号レベルに応じたAGC電圧を出力するようにすることも考えられるが、この場合、受信すべきテレビジョン信号のチャンネルのIF信号のS/N（Signal to Noise）比が低下してしまう。
【００２３】
本発明は、このような状況に鑑みてなされたものであり、非同調型のシリコンチューナにおいて、中間周波信号の歪みを抑制できるようにするものである。
【課題を解決するための手段】
【００２４】
本発明の一側面の受信装置は、AGC（Automatic Gain Control）信号に応じた利得で、入力された入力信号を増幅または減衰する増幅／減衰部を有する複数の受信手段と、前記受信手段のそれぞれに入力される前記入力信号が所定の信号レベルより高い場合に、前記入力信号の信号レベルに応じて前記増幅／減衰部の利得を低減するように前記AGC信号を生成する生成手段とを備え、前記受信手段それぞれにおける前記増幅／減衰部は、前記受信手段のそれぞれに入力される前記入力信号のいずれかが、所定の信号レベルより高い場合に、前記生成手段によって生成された前記AGC信号に応じた利得で、前記入力信号を増幅または減衰する。
【００２５】
前記受信手段のそれぞれには、前記入力信号を検波し、前記入力信号の信号レベルに応じた検波信号を生成する検波部をさらに設け、前記生成手段には、前記受信手段のそれぞれにおいて生成される前記検波信号が所定の信号レベルより高い場合に、前記検波信号の信号レベルに応じて前記増幅／減衰部の利得を低減するように前記AGC信号を生成させ、前記受信手段それぞれにおける前記増幅／減衰部には、前記受信手段のそれぞれにおいて生成される前記検波信号のいずれかが、前記所定の信号レベルより高い場合に、前記生成手段によって生成された前記AGC信号に応じた利得で、前記入力信号を増幅または減衰させることができる。
【００２６】
前記生成手段には、前記受信手段のそれぞれにおいて生成される前記検波信号が所定の信号レベルより高い場合に、前記検波信号の信号レベルに応じて前記増幅／減衰部の利得を低減するように前記AGC信号を生成して、前記AGC信号のうち、最大の信号レベルの前記検波信号に対応する前記AGC信号を選択させ、前記受信手段それぞれにおける前記増幅／減衰部には、前記生成手段によって選択された前記AGC信号に応じた利得で、前記入力信号を増幅または減衰させることができる。
【００２７】
前記受信手段それぞれにおける前記検波部には、それぞれ異なる周波数帯域の前記入力信号を検波させることができる。
【００２８】
前記受信手段のそれぞれには、受信すべき入力信号である希望信号と、受信すべき入力信号でない妨害信号とが入力され、前記生成手段には、前記妨害信号の信号レベルが、前記希望信号の信号レベルより高い場合に、前記妨害信号の信号レベルに応じて前記増幅／減衰部の利得を低減するように前記AGC信号を生成させ、前記受信手段それぞれにおける前記増幅／減衰部には、前記妨害信号の信号レベルが、前記希望信号の信号レベルより高い場合に、前記生成手段によって生成された前記AGC信号に応じた利得で、前記希望信号および前記妨害信号を増幅または減衰させることができる。
【００２９】
前記受信手段のそれぞれには、前記受信手段それぞれに入力される前記入力信号の信号レベルが、所定の信号レベルより低い場合に、前記入力信号に対応する前記AGC信号を生成し調整する調整部をさらに設け、前記受信手段それぞれにおける前記増幅／減衰部には、前記調整部によって調整された前記AGC信号に応じた利得で前記入力信号を増幅させることができる。
【００３０】
前記受信手段のそれぞれには、前記増幅／減衰部で用いられる前記AGC信号の取得を、前記生成手段と、前記調整部とで切り替える切替部をさらに設けることができる。
【００３１】
本発明の一側面の受信方法は、AGC（Automatic Gain Control）信号に応じた利得で、入力された入力信号を増幅または減衰する増幅／減衰部を有する複数の受信手段と、前記受信手段のそれぞれに入力される前記入力信号が所定の信号レベルより高い場合に、前記入力信号の信号レベルに応じて前記増幅／減衰部の利得を低減するように前記AGC信号を生成する生成手段とを備える受信装置の受信方法であって、前記生成手段によって、前記受信手段のそれぞれに入力される前記入力信号が所定の信号レベルより高い場合に、前記入力信号の信号レベルに応じて前記増幅／減衰部の利得を低減するように前記AGC信号を生成する生成ステップと、前記受信手段それぞれにおける前記増幅／減衰部によって、前記受信手段のそれぞれに入力される前記入力信号のいずれかが、所定の信号レベルより高い場合に、前記生成ステップにおいて生成された前記AGC信号に応じた利得で前記入力信号を増幅または減衰する増幅／減衰ステップとを含む。
【００３２】
本発明の一側面のプログラムは、AGC（Automatic Gain Control）信号に応じた利得で、入力された入力信号を増幅または減衰する増幅／減衰部を有する複数の受信手段と、前記受信手段のそれぞれに入力される前記入力信号が所定の信号レベルより高い場合に、前記入力信号の信号レベルに応じて前記増幅／減衰部の利得を低減するように前記AGC信号を生成する生成手段とを備える受信装置を制御する処理をコンピュータを実行させるプログラムであって、前記生成手段によって、前記受信手段のそれぞれに入力される前記入力信号が所定の信号レベルより高い場合に、前記入力信号の信号レベルに応じて前記増幅／減衰部の利得を低減するように前記AGC信号を生成する生成ステップと、前記受信手段それぞれにおける前記増幅／減衰部によって、前記受信手段のそれぞれに入力される前記入力信号のいずれかが、所定の信号レベルより高い場合に、前記生成ステップにおいて生成された前記AGC信号に応じた利得で前記入力信号を増幅または減衰する増幅／減衰ステップとを含む処理をコンピュータに実行させる。
【００３３】
本発明の一側面においては、受信手段のそれぞれに入力される入力信号が所定の信号レベルより高い場合に、入力信号の信号レベルに応じて増幅／減衰部の利得を低減するようにAGC信号が生成され、受信手段のそれぞれに入力される入力信号のいずれかが、所定の信号レベルより高い場合に、生成されたAGC信号に応じた利得で、入力信号が増幅または減衰される。
【発明の効果】
【００３４】
本発明の一側面によれば、非同調型のシリコンチューナにおいて、中間周波信号の歪みを抑制することが可能となる。
【発明を実施するための最良の形態】
【００３５】
以下、本発明の実施の形態について図を参照して説明する。なお、説明は以下の順序で行う。
１．第１の実施の形態
２．第２の実施の形態
【００３６】
＜１．第１の実施の形態＞
［テレビジョン受像機の構成例］
図３は、本発明を適用した受信装置の一実施の形態としてのテレビジョン受像機の構成例を示している。
【００３７】
図３のテレビジョン受像機１１１は、分配器１３１、チューナ１３２−１乃至１３２−４、復調部１３３−１乃至１３３−４、セレクタ１３４、ディスプレイ１３５、スピーカ１３６、AGC電圧選択部１３７、およびマイクロコンピュータ１３８から構成される。
【００３８】
分配器１３１は、図示せぬアンテナから入力されるアナログテレビジョン信号およびデジタルテレビジョン信号（単に、テレビジョン信号ともいう）を、チューナ１３２−１乃至１３２−４のそれぞれに、等しく分配する。
【００３９】
チューナ１３２−１乃至１３２−４は、分配器１３１によって分配されたテレビジョン信号から、図示せぬ操作入力部が操作されることで選局されたチャンネルのテレビジョン信号を抽出し、IF信号として、復調部１３３−１乃至１３３−４のそれぞれに供給する。ここで、チューナ１３２−１乃至１３２−４のそれぞれによって抽出されるテレビジョン信号のチャンネル（周波数帯域）は、それぞれ異なるものとする。
【００４０】
また、チューナ１３２−１乃至１３２−４は、それぞれ、分配されたテレビジョン信号を検波し、そのテレビジョン信号の信号レベルに応じた検波信号を、AGC電圧選択部１３７に供給する。さらに、チューナ１３２−１乃至１３２−４は、AGC電圧選択部１３７からの、テレビジョン信号の増幅または減衰の利得を制御するためのAGC電圧に応じて、テレビジョン信号を増幅または減衰し、復調部１３３−１乃至１３３−４のそれぞれに供給する。
【００４１】
なお、チューナ１３２−１乃至１３２−４それぞれは、全ての周波数帯域（放送帯域）のテレビジョン信号を検波せず、所定の周波数帯域（検波可能周波数帯域、±100MHz程度）の信号を検波する。
【００４２】
復調部１３３−１乃至１３３−４は、それぞれ、チューナ１３２−１乃至１３２−４から供給されたIF信号を復調し、その復調結果を、セレクタ１３４に供給する。
【００４３】
セレクタ１３４は、復調部１３３−１乃至１３３−４からの復調結果のうち、少なくとも１つを選択し、選択した復調結果の映像信号をディスプレイ１３５に出力するとともに、選択した復調結果の音声信号をスピーカ１３６に出力する。また、セレクタ１３４は、復調部１３３−１乃至１３３−４からの復調結果のうち、少なくとも１つを選択し、図示せぬビデオレコーダなどに出力することができる。
【００４４】
AGC電圧選択部１３７は、チューナ１３２−１乃至１３２−４からの検波信号に応じてチューナ１３２−１乃至１３２−４それぞれにおける可変利得増幅器の利得を制御するAGC電圧を生成する。また、AGC電圧選択部１３７は、生成したAGC電圧のうち、所定の信号レベルより大きい検波信号に対応するAGC電圧を選択し、チューナ１３２−１乃至１３２−４に供給する。
【００４５】
マイクロコンピュータ１３８は、例えば、図示せぬ操作入力部から入力される操作信号等に基づいて、チューナ１３２−１乃至１３２−４やAGC電圧選択部１３７等、テレビジョン受像機１１１の各部を制御する。
【００４６】
以上のような構成により、テレビジョン受像機１１１は、AGC電圧選択部１３７によって選択されたAGC電圧に応じた利得で、チューナ１３２−１乃至１３２−４のそれぞれに入力されたテレビジョン信号を、一律に増幅または減衰することができる。したがって、受信されたテレビジョン信号の信号レベルに適応しないAGC電圧に応じて、テレビジョン信号を最大限に増幅することなく、適切な利得でテレビジョン信号を増幅することができる。
【００４７】
なお、チューナ１３２−１乃至１３２−４のそれぞれや、復調部１３３−１乃至１３３−４のそれぞれを区別する必要がない場合は、単に、チューナ１３２、復調部１３３と称するものとする。
【００４８】
また、テレビジョン受像機１１１において、チューナ１３２および復調部１３３は、図３に示されるように、それぞれ４個のチューナ１３２および復調部１３３に限らず、その他の１以上の数から構成されるようにしてもよい。
【００４９】
［チューナの構成例］
次に、図４を参照して、チューナ１３２の具体的な構成例について説明する。
【００５０】
図４のチューナ１３２は、可変利得増幅器１５１、ミキサ１５２、局部発振器１５３、PLL回路１５４、第１中間周波増幅器１５５、BPF１５６、第２中間周波増幅器１５７、検波部１５８、およびオペアンプ１５９から構成される。
【００５１】
可変利得増幅器１５１は、分配器１３１からの分配されたテレビジョン信号を、AGC電圧選択部１３７からのAGC電圧に応じた利得で増幅または減衰し、ミキサ１５２および検波部１５８に供給する。
【００５２】
ミキサ１５２は、可変利得増幅器１５１からのテレビジョン信号と、局部発振器１５３から供給される所定の周波数の局部発振信号とを乗算することで、受信したテレビジョン信号が周波数変換された中間周波信号（IF信号）を生成し、第１中間周波増幅器１５５に供給する。
【００５３】
局部発振器１５３は、PLL回路１５４より出力されるバリキャップ制御電圧により発振周波数が制御されて、所定の周波数の局部発振信号をミキサ１５２に供給する。
【００５４】
第１中間周波増幅器１５５は、ミキサ１５２からのIF信号を所定の比率で増幅し、BPF１５６に供給する。
【００５５】
BPF１５６は、中間周波数帯域を通過帯域として、第１中間周波増幅器１５５からのIF信号を通過させ、第２中間周波増幅器１５７に供給する。
【００５６】
第２中間周波増幅器１５７は、BPF１５６からのIF信号を所定の比率で増幅し、復調部１３３に供給する。
【００５７】
検波部１５８は、可変利得増幅器１５１から出力されるテレビジョン信号を検波し、そのテレビジョン信号の信号レベルに応じた検波信号を生成して、オペアンプ１５９を介して、AGC電圧選択部１３７に供給する。すなわち、検波部１５８は、可変利得増幅器１５１から出力される、希望波としてのデジタルテレビジョン信号、および、妨害波としてのアナログテレビジョン信号を検波し、それらのテレビジョン信号の信号レベルに応じた検波信号を生成する。
【００５８】
オペアンプ１５９は、検波部１５８からのAGC電圧の信号レベルを所定の信号レベルに変換し、AGC電圧選択部１３７に供給する。
【００５９】
［テレビジョン受像機におけるチューナの利得制御処理］
次に、図５のフローチャートを参照して、テレビジョン受像機１１１におけるチューナ１３２（１３２−１乃至１３２−４）の利得制御処理について説明する。なお、図５のフローチャートにおいては、チューナ１３２−１乃至１３２−４のいずれか１つ（以下、適宜、注目チューナ１３２ともいう）に注目して説明することとする。また、ステップＳ１１乃至Ｓ１４，Ｓ１６，Ｓ１８の処理は、注目チューナ１３２以外の他のチューナ１３２についても並行して実行されるものとする。
【００６０】
ステップＳ１１において、注目チューナ１３２の検波部１５８は、可変利得増幅器１５１から出力されるテレビジョン信号（入力信号）を検波し、その信号レベルに応じた検波信号を生成して、オペアンプ１５９を介して、AGC電圧選択部１３７に供給する。より具体的には、検波部１５８は、図６に示される特性に基づいて、入力信号の信号レベルに応じた信号レベルの検波信号を生成し、オペアンプ１５９を介して、AGC電圧選択部１３７に供給する。
【００６１】
図６は、検波部１５８における、入力信号レベル対検波信号レベル特性を示している。
【００６２】
図６に示されるように、入力信号レベルと検波信号レベルとは、比例関係にあり、入力信号の信号レベルが高くなるほど、検波信号の信号レベルも高くなる。なお、図６中の希望波１乃至４、妨害波についての説明は後述する。
【００６３】
ステップＳ１２において、AGC電圧選択部１３７は、注目チューナ１３２の検波部１５８からの検波信号について、その検波信号の信号レベルが所定の信号レベルより高いか否かを判定する。より具体的には、AGC電圧選択部１３７は、図７に示す特性に基づいて、注目チューナ１３２の検波部１５８からの検波信号の信号レベルが、所定の信号レベルＱSより高いか否かを判定する。
【００６４】
図７は、AGC電圧選択部１３７における、検波信号レベル対AGC電圧特性を示している。
【００６５】
図７に示されるように、検波信号の信号レベルが信号レベルＱSとなるまでは、AGC電圧の信号レベルは一定とされる（図中、丸の中に数字の１が付された信号レベル）。また、検波信号の信号レベルが信号レベルＱSを超えると、検波信号の信号レベルの高さに応じて、AGC電圧の信号レベルも高くなる。なお、図７中の希望波１乃至４、妨害波についての説明は後述する。
【００６６】
ステップＳ１２において、検波信号の信号レベルが信号レベルＱSより高くないと判定された場合、処理は、ステップＳ１３に進む。
【００６７】
ステップＳ１３において、AGC電圧選択部１３７は、可変利得増幅器１５１が最大利得となるAGC電圧を生成し、処理は、ステップＳ１５に進む。
【００６８】
ここで、図８を参照して、可変利得増幅器１５１における、AGC電圧対利得特性について説明する。なお、図８において、丸の中に数字の１および５が付されたAGC電圧の信号レベルと、図７中、丸の中に数字の１および５が付されたAGC電圧の信号レベルとは、それぞれ対応している。
【００６９】
図８に示されるように、丸の中に数字の１が付されたAGC電圧の信号レベルに対応する利得を最大利得として、可変利得増幅器１５１の利得は、AGC電圧の信号レベルが高くなるほど下がっていく。
【００７０】
したがって、検波信号の信号レベルが信号レベルＱSより高くない場合、AGC電圧の信号レベルは、丸の中に数字の１が付されたAGC電圧の信号レベルとなり（図７）、対応する可変利得増幅器１５１における利得は、最大利得となる（図８）。また、検波信号の信号レベルが信号レベルＱSより高い場合（図７）、AGC電圧の信号レベルは、検波信号の信号レベルに比例して高くなり、対応する可変利得増幅器１５１における利得は、比例して下がる（図８）。
【００７１】
すなわち、ステップＳ１３において、AGC電圧選択部１３７は、図８において最大利得をとるAGC電圧（図８中、丸の中に数字の１が付された信号レベルのAGC電圧）を生成し、処理は、ステップＳ１５に進む。
【００７２】
一方、ステップＳ１２において、図７の特性において、検波信号の信号レベルが信号レベルＱSより高いと判定された場合、処理は、ステップＳ１４に進む。
【００７３】
ステップＳ１４において、AGC電圧選択部１３７は、図７の特性に基づいて、検波信号の信号レベルに応じたAGC電圧を生成し、処理は、ステップＳ１５に進む。
【００７４】
ステップＳ１５において、AGC電圧選択部１３７は、注目チューナ１３２と、注目チューナ１３２以外の他のチューナ１３２についてのAGC電圧が全て最大利得となる信号レベルであるか否かを判定する。言い換えれば、AGC電圧選択部１３７は、全てのチューナ１３２における検波信号の信号レベルが信号レベルＱSより高くないか否か、ひいては、入力信号の信号レベルが所定の信号レベルより高くないか否かを判定する。
【００７５】
ステップＳ１５において、全てのチューナ１３２についてのAGC電圧が全て最大利得となる信号レベルであると判定された場合、AGC電圧選択部１３７は、可変利得増幅器１５１の最大利得に対応するAGC電圧を生成し、全てのチューナ１３２の可変利得増幅器１５１に供給する。その後、処理は、ステップＳ１６に進む。
【００７６】
ステップＳ１６において、注目チューナ１３２の可変利得増幅器１５１は、入力されたテレビジョン信号を、AGC電圧選択部１３７からのAGC電圧に応じた利得、つまり、最大利得で増幅し、ミキサ１５２に供給する。
【００７７】
一方、ステップＳ１５において、全てのチューナ１３２についてのAGC電圧が全て最大利得となる信号レベルでないと判定された場合、言い換えれば、全てのチューナ１３２のうちの少なくとも１つにおいて、信号レベルＱSを超える検波信号が生成された場合、処理は、ステップＳ１７に進む。
【００７８】
ステップＳ１７において、AGC電圧選択部１３７は、全てのチューナ１３２についてのAGC電圧のうち、最大の信号レベルの検波信号に対応するAGC電圧を選択し、全てのチューナ１３２の可変利得増幅器１５１に供給する。より具体的には、AGC電圧選択部１３７は、図７において、信号レベルＱSより高い信号レベルの検波信号に対応するAGC電圧のうち、最大の信号レベルの検波信号に対応するAGC電圧を選択する。そして、AGC電圧選択部１３７は、選択したAGC電圧を、全てのチューナ１３２の可変利得増幅器１５１に供給する。
【００７９】
ステップＳ１８において、注目チューナ１３２の可変利得増幅器１５１は、入力されたテレビジョン信号を、AGC電圧選択部１３７からのAGC電圧に応じた利得、すなわち、図８において、最大利得より小さい利得で増幅、または、減衰し、ミキサ１５２に供給する。
【００８０】
以上の処理によれば、信号レベルの高いテレビジョン信号（入力信号）が入力された場合、その入力信号に対応するAGC電圧を選択し、選択されたAGC電圧に基づいて、複数のチューナに対して一律に可変利得増幅器の利得を制御するので、信号レベルの高い入力信号を必要以上に増幅させることなく、中間周波信号の歪みを抑制することができる。また、不要な歪み成分を中間周波数帯域内に発生させないので、受信不能状態に陥ることなく、テレビジョン信号を受信することが可能となる。
【００８１】
以上の処理において、検波部１５８に入力される入力信号の信号レベルと、可変利得増幅器１５１の利得との間には、図９に示されるような関係が成り立つ。
【００８２】
すなわち、入力信号の信号レベルが、信号レベルＰS（AGCスタートポイント）を超えるまでは、可変利得増幅器１５１の利得は、一定の値（最大利得）とされる。また、入力信号の信号レベルが信号レベルＰSを超えると、入力信号の信号レベルの高さに応じて、可変利得増幅器１５１の利得は低減する。なお、図９においては、利得を表す縦軸中央付近に示される破線を利得０dBとし、それより利得が大きい場合には、可変利得増幅器１５１によってテレビジョン信号は増幅され、それより利得が小さい場合には、可変利得増幅器１５１によってテレビジョン信号は減衰される。また、図９中の希望波１乃至４、妨害波についての説明は後述する。
【００８３】
さらに、図９においては、可変利得増幅器１５１の利得は、入力信号の信号レベルが信号レベル信号レベルＰSを超えたとき、入力信号の信号レベルの高さに応じて、比例的に低減するようにしたが、例えば、入力信号の信号レベルがAGCスタートポイントを超えたときに、一定の値に定めた利得に下がるようにしてもよい。
【００８４】
［入力信号に希望波のみが含まれる場合、または希望波および妨害波のレベルに大きな差がない場合のチューナの動作］
ここで、図１０を参照して、チューナ１３２−１乃至１３２−４の検波部１５８の検波可能周波数帯域について説明する。
【００８５】
図１０において、横軸は周波数を表し、左側から右側に向けて周波数は高くなる。図１０に示されるように、テレビジョン信号の放送帯域において、チューナ１３２−１乃至１３２−４の検波可能周波数帯域が、左から順番に割り当てられている。すなわち、テレビジョン信号の放送帯域において、チューナ１３２−１の検波可能周波数帯域は、最も低い帯域であり、チューナ１３２−４の検波可能周波数帯域は、最も高い帯域となっている。また、チューナ１３２−１乃至１３２−４の検波可能周波数帯域において、チューナ１３２−１乃至１３２−４それぞれが受信すべきデジタルテレビジョン信号（希望波）が、希望波１乃至４として含まれている。図１０において、横軸（周波数軸）上に示されている希望波１乃至４の垂直方向の高さは、希望波１乃至４それぞれの信号レベルを表している。すなわち、希望波１乃至４の中で、希望波４の信号レベルが最も高く、希望波１の信号レベルが２番目に高く、希望波２の信号レベルが３番目に高く、希望波３の信号レベルが最も低い。
【００８６】
以上のような、希望波１乃至４を含むテレビジョン信号を、テレビジョン受像機１１１が受信したときの、チューナ１３２−１乃至１３２−４それぞれの動作について説明する。
【００８７】
すなわち、希望波１乃至４を含むテレビジョン信号を、テレビジョン受像機１１１が受信した場合、チューナ１３２−１乃至１３２−４の検波部１５８は、それぞれ、希望波１乃至４を検波する。希望波１乃至４の信号レベルには、希望波４＞希望波１＞希望波２＞希望波３の関係がある。このため、チューナ１３２−１乃至１３２−４の検波部１５８から出力される検波信号の信号レベルは、図１１に示される通り、それぞれ、図６中、丸の中に数字の２，３，４，１が付された信号レベルとなる（ステップＳ１１）。
【００８８】
ここで、図１１は、チューナ１３２−１乃至１３２−４の各部からの出力の状態を説明している。
【００８９】
図１１において、上から１段目は、チューナ１３２−１乃至１３２−４それぞれの区分を示している。２段目は、チューナ１３２−１乃至１３２−４それぞれの検波部１５８の検波信号レベルを示しており、３段目は、チューナ１３２−１乃至１３２−４それぞれの、検波信号レベルに応じてAGC電圧選択部１３７により生成されるAGC電圧の信号レベルを示している。４段目は、チューナ１３２−１乃至１３２−４それぞれの、AGC電圧に応じて可変利得増幅器１５１が決定する利得を示しており、５段目は、最終的にチューナ１３２−１乃至１３２−４それぞれから出力されるIF信号を示している。
【００９０】
次に、チューナ１３２−１乃至１３２−４の検波部１５８からは、希望波１乃至４に対応して出力された検波信号が、オペアンプ１５９を介してAGC電圧選択部１３７に供給される。このとき、AGC電圧選択部１３７によって生成されるAGC電圧の信号レベルは、図１１に示される通り、図７中、丸の中に数字の１が付された、入力信号レベルに応じたレベルとなる（ステップＳ１２，Ｓ１３）。
【００９１】
入力信号レベルに応じたレベルのAGC電圧が生成されると、図１１に示される通り、チューナ１３２−１乃至１３２−４の可変利得増幅器１５１はそれぞれ、図８の特性より、最大の利得で、入力信号（テレビジョン信号）を増幅する（ステップＳ１６）。チューナ１３２−１乃至１３２−４の可変利得増幅器１５１は、増幅したテレビジョン信号を、ミキサ１５２に供給する。このとき、チューナ１３２−１乃至１３２−４のミキサ１５２においては、可変利得増幅部１５１から適切な信号レベルの希望波（デジタルテレビジョン信号）が供給されるので、不要な歪み成分を中間周波数帯域内に発生させることはない。したがって、チューナ１３２−１乃至１３２−４は、受信不能状態になることはなく、図１１に示される通り、最終的に希望波１乃至４に応じたIF信号を、復調部１３３−１乃至１３３−４それぞれに供給することができる。
【００９２】
［入力信号に希望波よりレベルの高い妨害波が含まれるときのチューナの動作］
次に、図１２を参照して、チューナ１３２−１乃至１３２−４の検波可能周波数帯域に妨害波が含まれる場合について説明する。
【００９３】
図１２に示されるテレビジョン信号の放送帯域においては、図１０の場合と異なり、チューナ１３２−１の検波可能周波数帯域に、チューナ１３２−１乃至１３２−４それぞれが受信すべきチャンネル以外のアナログテレビジョン信号（妨害波）が含まれている。この妨害波の信号レベルは、希望波２乃至４の信号レベルと比較して高い。
【００９４】
以上のような、妨害波および希望波２乃至４を含むテレビジョン信号を、テレビジョン受像機１１１が受信したときの、チューナ１３２−１乃至１３２−４それぞれの動作を説明する。
【００９５】
すなわち、妨害波および希望波２乃至４を含むテレビジョン信号を、テレビジョン受像機１１１が受信した場合、チューナ１３２−１乃至１３２−４の検波部１５８は、それぞれ、妨害波および希望波２乃至４を検波する。妨害波および希望波２乃至４の信号レベルには、妨害波＞希望波４＞希望波２＞希望波３の関係がある。このため、チューナ１３２−１乃至１３２−４の検波部１５８から出力される検波信号の信号レベルは、図１３に示される通り、それぞれ、図６中、丸の中に数字の５，３，４，１が付された信号レベルとなる（ステップＳ１１）。
【００９６】
ここで、図１３は、チューナ１３２−１乃至１３２−４の各部からの出力の状態を説明している。なお、図１３の構成は、図１１と同様であるので、その説明は省略する。
【００９７】
次に、チューナ１３２−１乃至１３２−４の検波部１５８からは、妨害波および希望波２乃至４に対応して出力された検波信号が、オペアンプ１５９を介してAGC電圧選択部１３７に供給される。このとき、チューナ１３２−２乃至１３２−４からの検波信号の信号レベルに対応して、AGC電圧選択部１３７によって生成されるAGC電圧の信号レベルは、図１３に示される通り、図７中、丸の中に数字の１が付された、入力信号レベルに応じたレベルとなる（ステップＳ１２，Ｓ１３）。また、チューナ１３２−１からの検波信号の信号レベルに対応して、AGC電圧選択部１３７によって生成されるAGC電圧の信号レベルは、図１３に示される通り、図７中、丸の中に数字の５が付された信号レベルとなる（ステップＳ１２，Ｓ１４）。
【００９８】
ここで、チューナ１３２−１乃至１３２−４が、従来の非同調型のチューナであった場合、チューナそれぞれからの検波信号の信号レベル、ひいては、チューナそれぞれが受信したテレビジョン信号に応じたAGC電圧が生成され、可変利得増幅器１５１に供給される。すなわち、図１３に示されるように、チューナ１３２−１の可変利得増幅器１５１には、妨害波に応じたAGC電圧が供給されるので、チューナ１３２−１の可変利得増幅器１５１は、入力信号を減衰する。また、チューナ１３２−２乃至１３２−４の可変利得増幅器１５１には、希望波２乃至４の信号レベルに応じたAGC電圧が供給されるので、チューナ１３２−２乃至１３２−４の可変利得増幅器１５１は、最大利得で入力信号を増幅する。
【００９９】
このとき、チューナ１３２−２乃至１３２−４の可変利得増幅器１５１には、同調回路がないので、排除されることのない妨害波も入力されるので、最大利得で妨害波を増幅させることになる。結果として、チューナ１３２−２乃至１３２−４のミキサ１５２には、最大利得で増幅された妨害波が入力され、不要な歪み成分を中間周波数帯域内に発生させて、受信不能状態に陥ってしまう。なお、チューナ１３２−１のミキサ１５２には、減衰された妨害波が入力される。図１３に示される通り、最終的に、チューナ１３２−１は、妨害波に応じたIF信号を、チューナ１３２−２乃至１３２−４は、妨害波により歪んだIF信号を、復調部１３３−１乃至１３３−４それぞれに供給することになる。
【０１００】
そこで、本発明のテレビジョン受像機１１１においては、AGC電圧選択部１３７は、チューナ１３２−１乃至１３２−４それぞれからの検波信号の信号レベルに応じたAGC電圧を、チューナ１３２−１乃至１３２−４それぞれに供給しない。すなわち、AGC電圧選択部１３７は、チューナ１３２−１乃至１３２−４からの検波信号の信号レベルに対応するAGC電圧のうち、最大の信号レベルの検波信号に対応するAGC電圧を選択し、チューナ１３２−１乃至１３２−４に供給する（ステップＳ１７）。
【０１０１】
すなわち、図１２の例においては、AGC電圧選択部１３７は、妨害波に応じた検波信号レベルに対応するAGC電圧を選択し、チューナ１３２−１乃至１３２−４に供給する。これにより、チューナ１３２−２乃至１３２−４の可変利得増幅器１５１においても、妨害波を減衰するので、チューナ１３２−２乃至１３２−４は、不要な歪み成分を中間周波数帯域内に発生させて、受信不能状態に陥ることなく、テレビジョン信号を受信することができる。
【０１０２】
以上のようにして、信号レベルの高い妨害波が入力された場合、その妨害波に対応するAGC電圧を選択し、選択されたAGC電圧に基づいて、複数のチューナに対して一律に可変利得増幅器の利得を制御することで、信号レベルの高い妨害波を必要以上に増幅させることなく、中間周波信号の歪みを抑制することができる。また、不要な歪み成分を中間周波数帯域内に発生させないので、受信不能状態に陥ることなく、テレビジョン信号を受信することが可能となる。
【０１０３】
以上においては、複数のチューナにおいて、一律に可変利得増幅器の利得を制御する構成としたが、入力信号（検波信号）の信号レベルが所定のレベルより小さい場合は、それぞれのチューナ毎に、可変利得増幅器の利得を制御するようにしてもよい。
【０１０４】
＜２．第２の実施の形態＞
［チューナの構成例］
図１４は、テレビジョン受像機１１１の初期設定時や起動時にのみ、複数のチューナにおいて最大の入力信号レベル（検波信号レベル）に対応するAGC電圧に基づいて、可変利得増幅器の利得を制御し、初期設定後や起動後、入力信号レベル（検波信号レベル）が所定のレベルより小さい場合に、それぞれのチューナ毎に、可変利得増幅器の利得を制御するようにしたチューナの構成例を示している。
【０１０５】
また、図１４のチューナ１３２において、図４のチューナ１３２に設けられたものと同様の機能を備える構成については、同一名称および同一符号を付するものとし、その説明は、適宜省略するものとする。
【０１０６】
すなわち、図１４のチューナ１３２において、図４のチューナ１３２と異なるのは、切替スイッチ２０１、AGC電圧調整部２０２、および切替スイッチ２０３を新たに設けた点である。
【０１０７】
図１４の検波部１５８は、図４の検波部１５８と同様の機能を有する他、可変利得増幅器１５１からのテレビジョン信号（入力信号）の信号レベルが、所定の信号レベルより高いか否かを判定する。
【０１０８】
切替スイッチ２０１は、マイクロコンピュータ１３８の制御によって、検波部１５８からの検波信号の供給先として、オペアンプ１５９と、AGC電圧調整部２０２とを切り替える。
【０１０９】
AGC電圧調整部２０２は、検波部１５８からの検波信号の信号レベルに対応するAGC電圧を生成し、その信号レベルを調整して、切替スイッチ２０３を介して、可変利得増幅器１５１に供給する。
【０１１０】
切替スイッチ２０３は、切替スイッチ２０１と連動して、可変利得増幅器１５１に供給するAGC電圧の供給元として、AGC電圧選択部１３７と、AGC電圧調整部２０２とを切り替える。
【０１１１】
なお、初期状態（初期設定時または起動時）においては、切替スイッチ２０１は、検波部１５８とオペアンプ１５９とを接続し、切替スイッチ２０３は、AGC電圧選択部１３７と可変利得増幅器１５１とを接続している。
【０１１２】
［テレビジョン受像機におけるチューナの利得制御処理］
次に、図１５のフローチャートを参照して、テレビジョン受像機１１１における図１４のチューナ１３２（１３２−１乃至１３２−４）の利得制御処理について説明する。なお、図１５のフローチャートにおけるステップＳ３１乃至Ｓ３５，Ｓ３９，Ｓ４０の処理は、図５のフローチャートを参照して説明した利得制御処理におけるステップＳ１１乃至Ｓ１８と同様であるので、その説明は省略するものとする。また、図１５の利得制御処理は、テレビジョン受像機１１１の初期設定時、または起動時に実行されるものとする。
【０１１３】
すなわち、ステップＳ３５において、全てのチューナ１３２についてのAGC電圧が全て最大利得となる信号レベルでないと判定された場合、言い換えれば、全てのチューナ１３２のうちの少なくとも１つにおいて、信号レベルＱSを超える検波信号が生成された場合、処理は、ステップＳ３６に進む。
【０１１４】
ステップＳ３６において、マイクロコンピュータ１３８の制御によって、切替スイッチ２０１は、検波部１５８からの検波信号の供給先をAGC電圧調整部２０２に切り替えるとともに、切替スイッチ２０３は、可変利得増幅器１５１に供給するAGC電圧の供給元をAGC電圧調整部２０２に切り替える。
【０１１５】
ステップＳ３７において、AGC電圧調整部２０２は、検波部１５８から切替スイッチ２０１を介して供給された検波信号の信号レベルに対応するAGC電圧を生成し、その信号レベルを調整して、切替スイッチ２０３を介して、可変利得増幅器１５１に供給する。
【０１１６】
ステップＳ３８において、可変利得増幅器１５１は、入力されたテレビジョン信号（入力信号）を、AGC電圧調整部２０２からのAGC電圧に応じた利得で増幅し、ミキサ１５２に供給する。
【０１１７】
以上の処理によれば、テレビジョン信号の信号レベルが、所定の信号レベルより高くない場合に、チューナ１３２−１乃至１３２−４は、それぞれの内部でAGC電圧を生成、調整し、可変利得増幅器１５１の利得を制御することができるので、テレビジョン信号に信号レベルの高い妨害波が含まれていない場合には、それぞれのチューナにおいて最適な利得の制御を行うことができ、受信感度の劣化を防ぐことが可能となる。また、信号レベルの高い妨害波が入力された場合には、その妨害波に対応するAGC電圧を選択し、選択されたAGC電圧に基づいて、複数のチューナに対して一律に可変利得増幅器の利得を制御するので、信号レベルの高い妨害波を必要以上に増幅させることなく、中間周波信号の歪みを抑制することができる。
【０１１８】
以上においては、テレビジョン信号の信号レベルに応じて、チューナの外部からのAGC電圧による利得の制御と、チューナの内部で生成し、調整したAGC電圧による利得の制御とを切り替えるようにしたが、例えば、図示せぬ操作入力部から入力される操作信号に基づいて、必要に応じて利得の制御の方法を切り替えるようにしてもよい。
【０１１９】
これによって、適宜、それぞれのチューナにおいて最適な利得の制御を行うことができ、受信感度の劣化を防ぐことが可能となる。
【０１２０】
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータ等に、プログラム記録媒体からインストールされる。
【０１２１】
図１６は、上述した一連の処理をプログラムにより実行するコンピュータのハードウェアの構成例を示すブロック図である。
【０１２２】
コンピュータにおいて、マイクロコンピュータ１３８に対応するCPU（Central Processing Unit）９０１，ROM（Read Only Memory）９０２，RAM（Random Access Memory）９０３は、バス９０４により相互に接続されている。
【０１２３】
バス９０４には、さらに、入出力インタフェース９０５が接続されている。入出力インタフェース９０５には、キーボード、マウス、マイクロホン等よりなる入力部９０６、ディスプレイ、スピーカ等よりなる出力部９０７、ハードディスクや不揮発性のメモリ等よりなる記憶部９０８、ネットワークインタフェース等よりなる通信部９０９、磁気ディスク、光ディスク、光磁気ディスク、或いは半導体メモリ等のリムーバブルメディア９１１を駆動するドライブ９１０が接続されている。
【０１２４】
以上のように構成されるコンピュータでは、CPU９０１が、例えば、記憶部９０８に記憶されているプログラムを、入出力インタフェース９０５およびバス９０４を介して、RAM９０３にロードして実行することにより、上述した一連の処理が行われる。
【０１２５】
コンピュータ（CPU９０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリ等よりなるパッケージメディアであるリムーバブルメディア９１１に記録して、あるいは、ローカルエリアネットワーク、インターネット、デジタル衛星放送といった、有線または無線の伝送媒体を介して提供される。
【０１２６】
そして、プログラムは、リムーバブルメディア９１１をドライブ９１０に装着することにより、入出力インタフェース９０５を介して、記憶部９０８にインストールすることができる。また、プログラムは、有線または無線の伝送媒体を介して、通信部９０９で受信し、記憶部９０８にインストールすることができる。その他、プログラムは、ROM９０２や記憶部９０８に、あらかじめインストールしておくことができる。
【０１２７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２８】
また、本発明の実施の形態は、上述した実施の形態に限定されるものではなく、本発明の要旨を逸脱しない範囲において種々の変更が可能である。
【図面の簡単な説明】
【０１２９】
【図１】従来のテレビジョン受像機のチューナの構成例を示すブロック図である。
【図２】従来のテレビジョン受像機のチューナの他の構成例を示すブロック図である。
【図３】本発明を適用した受信装置の一実施の形態としてのテレビジョン受像機の構成例を示すブロック図である。
【図４】チューナの構成例を示すブロック図である。
【図５】図４のチューナの利得制御処理について説明するフローチャートである。
【図６】検波部における入力信号レベル対検波信号レベル特性を示す図である。
【図７】AGC信号選択部における検波信号レベル対AGC電圧特性を示す図である。
【図８】可変利得増幅器におけるAGC電圧対利得特性を示す図である。
【図９】入力信号レベルと利得との関係を示す図である。
【図１０】チューナの検波部の検波可能周波数帯域について説明する図である。
【図１１】希望波のみを含むテレビジョン信号を受信したときのチューナの動作について説明する図である。
【図１２】チューナの検波可能周波数帯域に妨害波が含まれる場合について説明する図である。
【図１３】妨害波を含むテレビジョン信号を受信したときのチューナの動作について説明する図である。
【図１４】チューナの他の構成例を示すブロック図である。
【図１５】図１４のチューナの利得制御処理について説明するフローチャートである。
【図１６】コンピュータのハードウェアの構成例を示すブロック図である。
【符号の説明】
【０１３０】
１１１  テレビジョン受像機，  １３２，１３２−１乃至１３２−４  チューナ，  １３７  AGC電圧選択部，  １３８  マイクロコンピュータ，  １５１  可変利得増幅器，  １５２  ミキサ，  １５８  検波部，  ２０１  切替スイッチ，  ２０２  AGC電圧調整部，  ２０３  切替スイッチ
【図１】
2010136137.tif 000003
【図２】
2010136137.tif 000004
【図３】
2010136137.tif 000005
【図４】
2010136137.tif 000006
【図５】
2010136137.tif 000007
【図６】
2010136137.tif 000008
【図７】
2010136137.tif 000009
【図８】
2010136137.tif 000010
【図９】
2010136137.tif 000011
【図１０】
2010136137.tif 000012
【図１１】
2010136137.tif 000013
【図１２】
2010136137.tif 000014
【図１３】
2010136137.tif 000015
【図１４】
2010136137.tif 000016
【図１５】
2010136137.tif 000017
【図１６】
2010136137.tif 000018
【手続補正書】
【提出日】平成22年2月19日(2010.2.19)
【手続補正１】
【補正対象書類名】明細書
【補正対象項目名】００１４
【補正方法】変更
【補正の内容】
【００１４】
図２のチューナ７１は、可変利得増幅器９１、ミキサ９２、局部発振器９３、PLL回路９４、第１中間周波増幅器９５、BPF（Band Pass Filter）９６、第２中間周波増幅器９７、検波部９８、およびオペアンプ９９から構成される。なお、可変利得増幅器９１、ミキサ９２、局部発振器９３、PLL回路９４、第１中間周波増幅器９５、第２中間周波増幅器９７、およびオペアンプ９９は、図１のチューナ３１に設けられた可変利得増幅器５２、ミキサ５４、局部発振器５５、PLL回路５６、第１中間周波増幅器５７、第２中間周波増幅器５９、およびオペアンプ６１とそれぞれ同様の機能を備えるので、その説明は省略する。
【手続補正２】
【補正対象書類名】明細書
【補正対象項目名】００１７
【補正方法】変更
【補正の内容】
【００１７】
このため、図２のチューナ７１において、検波部９８に可変利得増幅器９１から出力される全てのテレビジョン信号（希望波、妨害波）が供給されると、検波部９８は、この全てのテレビジョン信号（希望波、妨害波）を検波し、その結果を、AGC電圧として出力する。このときのAGC電圧は、希望波および妨害波の全てのテレビジョン信号を合わせた信号レベルを示すことになる。しかしながら、実際には、検波部９８は、全ての周波数帯域のテレビジョン信号を検波することはできず、所定の周波数帯域（検波可能周波数帯域、±１００ＭＨｚ程度）のテレビジョン信号のみを検波するにとどまる。これは、チューナ７１が受信できる周波数帯域幅に比べて、AGC電圧を発生させる検波部９８の検波可能帯域幅が狭いためである。
【手続補正３】
【補正対象書類名】明細書
【補正対象項目名】０１１３
【補正方法】変更
【補正の内容】
【０１１３】
すなわち、ステップＳ３５において、全てのチューナ１３２についてのAGC電圧が全て最大利得となる信号レベルであると判定された場合、処理は、ステップＳ３６に進む。